(57)【特許請求の範囲】
【請求項１】
円筒部材と、
前記円筒部材の一方側に前記円筒部材に沿って移動可能に設けられ、外部の部材に係合する第１係合部を有する第１部材と、
前記円筒部材の他方側に前記円筒部材に沿って移動可能に設けられ、前記外部の部材に係合する第２係合部を有する第２部材と、
前記第１部材と前記第２部材との間隔を広げるように付勢する付勢手段とを含む治具であって、
前記円筒部材の少なくともいずれか一方側の端部に設けられ、別部材を取り付けるための別部材取付部を有する、治具。
【請求項２】
前記別部材取付部は、棒状部材、または、Ｕ字状の溝を有する部材を取り付け可能である、請求項１に記載の治具。
【請求項３】
前記第１部材および前記第２部材は、当該第１部材および第２部材を前記円筒部材の一方側の所望の位置に固定するための固定手段を含む、請求項１または２に記載の治具。
【発明の詳細な説明】
【技術分野】
【０００１】
この発明は建設現場で使用される治具に関し、特に、建設現場における作業者の安全対策として使用される手摺等の部材を取り付けるために使用される治具に関する。
【背景技術】
【０００２】
従来、建設現場において、仮設の階段やそれ用の手摺が設けられている。このような仮設手摺の支柱取付け具がたとえば、特開２００８−２５５６８９号公報（特許文献１）に開示されている。特許文献１によれば、仮設手摺の支柱取付け具は、中空状に形成された中空部材と、中空部材の一側に固設され、立設対象を仮設手摺の幅方向の複数箇所にてクランプする固定クランプ部と、中空部材の他側に固設され、支柱をクランプする支柱クランプ部とを備える。その結果、施工作業の邪魔になり難い手摺を仮設することができる仮設手摺の支柱取付け具、及び、仮設手摺の形成方法を提供している。
【先行技術文献】
【特許文献】
【０００３】
【特許文献１】特開２００８−２５５６８９号公報
【発明の概要】
【発明が解決しようとする課題】
【０００４】
従来の仮設手摺は背景技術に述べたように構成されていた。仮設時に手摺等を取り付けるために、複数の固定クランプ部を被固定部材に取り付ける必要があった。この場合、それぞれの固定クランプ部について、複数のボルトを工具で締め付ける必要があり、従来の建築作業において仮設時に使用される部材を固定するには、時間や手間がかかるという問題があった。
【０００５】
この発明は上記のような問題点に鑑みてなされたもので、建築作業において仮設時に使用される部材を容易に固定するために使用される治具を提供することを目的とする。
【課題を解決するための手段】
【０００６】
この発明に係る治具は、円筒部材と、円筒部材の一方側に円筒部材に沿って移動可能に設けられ、外部の部材に係合する第１係合部を有する第１部材と、円筒部材の他方側に円筒部材に沿って移動可能に設けられ、外部の部材に係合する第２係合部を有する第２部材と、第１部材と第２部材との間隔を広げるように付勢する付勢手段とを含む。治具は、円筒部材の少なくともいずれか一方側の端部に設けられ、別部材を取り付けるための別部材取付部を有する。
【０００７】
別部材取付部は、棒状部材、または、Ｕ字状の溝を有する部材を取り付け可能であるのが好ましい。
【０００８】
第１部材および第２部材は、当該第１部材および第２部材を円筒部材の一方側の所望の位置に固定するための固定手段を含んでもよい。
【発明の効果】
【０００９】
治具は、仮設部材に取り付けられ、棒状部材の一方側および他方側で外部の部材に係合可能であり、その間隔が広がるように付勢されるため、付勢可能な寸法内の間隔を有する任意の外部の梁部材等に仮設部材を容易に取り付けることができる。
【００１０】
その結果、建築作業において仮設時に使用される仮設部材を容易に固定するための治具を提供できる。
【図面の簡単な説明】
【００１１】
【図１】この発明の一実施の形態に係る治具を示す図である。
【図２】治具の使用方法を説明する図である。
【図３】建設現場を示す模式図である。
【図４】治具を開口部手摺を取り付けた例を示す図である。
【図５】治具に吊り下げ安全柵に取り付けた例を示す図である。
【図６】角材保持部を有する治具を示す図である。
【図７】この発明の他の実施の形態に係る治具を示す図である。
【発明を実施するための形態】
【００１２】
以下、この発明の一実施の形態を、図面を参照して説明する。図１はこの発明の一実施の形態に係る治具を示す図である。図１（Ａ）は正面図（図１（Ｂ）において、矢印ＩＡ-ＩＡで示す矢視図）であり、図１（Ｂ）は側面図（図１（Ａ）において、矢印ＩＢ-ＩＢで示す矢視図）であり、図１（Ｃ）は平面図（図１（Ｂ）において、矢印ＩＣ-ＩＣで示す矢視図）であり、図１（Ｄ）は図１（Ｂ）において、矢印ＩＤ-ＩＤで示す矢視図である。
【００１３】
図１を参照して、治具１０は、全体が基本的に金属製であり、円筒部材１１と、円筒部材１１の下端に設けられ、外部に設けられたＨ形鋼等の梁部材（以下、「梁」という）に設けられた貫通孔等に係合可能な下向きの円柱状の突起部１９（第１係合部）を保持する下側保持部１７（第１部材）と、円筒部材１１の上端部側に設けられ、外部に設けられた部材の貫通孔等に係合可能な上向きの円柱状の突起部１４（第２係合部）を保持する上側保持部１２（第２部材）とを含む。上下の保持部材１２，１７は、円筒部材１１の外径よりも大きな内径を有する円筒状であり、円筒部材１１に沿って上下動可能である。また、下側保持部１７と上側保持部１２との間には、その間隔を広げるように付勢するコイルばね（付勢手段）２０が設けられている。
【００１４】
円筒部材１１の上下端部は開口されており、その中に棒状部材や、所定の部材を保持可能な別部材保持部を接続可能である。
【００１５】
円筒状の上側保持部材１２は、その一部に貫通孔および貫通孔に連続して径方向外側に設けられたナット１２ａと、ナット１２ａに締め付け可能に設けられた手で回転可能な頭部を有するボルト（固定手段）１３とを含み、ボルト１３を締め付けることによって、円筒部材１１の軸方向の任意の位置に上側保持部材１２を固定可能である。
【００１６】
次に、円筒状の下側保持部材１７について説明する。図１（Ｄ）に示すように、下側保持部材１７は、円筒部材１１の外周に沿うとともに、所定の高さを有する曲面１７ｂと、曲面１７ｂに連続する一対の板状部１７ａ，１７ｃとを有する、平面視で、開口側が狭くなったＵ字状であり、その開口部に円柱状の突起部１９が軸方向下側に向いて設けられている。
【００１７】
また、下側保持部材１７の曲面１７ｂにはそのＵ字状の開口部側の一部に貫通孔および貫通孔に連続して径方向外側にナット１８ｃが設けられ、これに対して係合するようなねじ部を有する軸部１８ｂおよび頭部１８ａを有するボルト１８によって、円筒部材１１の軸方向の下端部に下側保持部材１７を固定している。
【００１８】
なお、突起部１４、１９は円筒部材１１の軸方向に平行に上下方向に突出しているのが好ましい。
【００１９】
次に、治具１０の使用方法について説明する。図１（Ｂ）には、点線で治具１０が梁に取り付けた様子を示している。まず、治具１０を図１（Ｂ）に示すように取り付ける方法について説明する。図２はこの方法を示す図である。図２（Ａ）は治具の下側の突起部１９のみを梁の下フランジ４０ｂに取り付けた状態を示す図であり、図２（Ｂ）は梁の上フランジ４０ａに取付を完了した状態を示す図であり、図１（Ｂ）と同じである。
【００２０】
なお、ここでは、治具１０の先端部に棒状部材２３が接続されている。この棒状部材２３を治具１０へ取り付ける別部材保持部は、円筒部材１１の内径と棒状部材２３の外径とに設けられたねじ部であってもよいし、棒状部材２３の下端部のみに円筒部材１１の内部係合する外径の小さい嵌め合い部を有する延長部であってもよく、この場合、円筒部材１１の内部にこの延長部が挿入される。また、別部材保持部は円筒部材１１と一体化されてもよい。
【００２１】
図２（Ａ）を参照して、梁４０には、予め突起部１４，１９を貫通可能な貫通孔４１ａ，４１ｂが設けられている。これらの貫通孔４１ａ，４１ｂの径は、突起部１４，１９の外径よりも大きく形成されており、図２（Ａ）に示すように、下側の突起部１９を傾斜させて梁４０の下側フランジ４０ｂに設けられた貫通孔４１ｂに貫通させ、バネ２０を縮めて上側の保持部１２と下側の保持部１７との間隔を狭くして梁の上下のフランジ４０ａ，４０ｂ間寸法より小さくし、上側の突起部１４を上側フランジ４０ａの下面に位置させる。
【００２２】
この状態から、治具の上部を矢印で示す方向に倒し、上側の突起部１４を上側フランジ４０ａの貫通孔４１に貫通させる。その後、バネ２０を解放する。そうすると、図２（Ｂ）に示す状態となる。
【００２３】
なお、このように、手で上下の保持部１２,１７間の寸法が調整できるように、バネ２０の付勢力は設定されている。
【００２４】
次に、治具１０の具体的な使用例について説明する。図３は２階建ての建設工事現場を示す模式図である。図３（Ａ）は、階段７３に接続された２階部分７２を示す平面図であり、図３（Ｂ）は側面図（図１（Ａ）において、矢印ＩＩＩＢ-ＩＩＩＢで示す部分の矢視図）であり、図３（Ｃ）は建設作業時に作業員が２階の床から落下しないように、図３（Ａ）において、階段７３が設けられる開口部（図３（Ａ）において×で示す部分）を閉じた状態を示す平面図であり、図３（Ｄ）は図３（Ｃ）において、矢印ＩＩＩＤ-ＩＩＩＤで示す部分の断面図である。
【００２５】
図３（Ａ）を参照して、階段７３は１階側階段部７３ａと、踊り場７３ｂと、２階側階段部７３ｃとを含む。ここで、踊り場７３ｂを囲む後ろ側７７には通常、壁面が設けられるため安全用の柵等は不要である。しかしながら、右側側面７５と左側側面７６には仮設の手摺や落下防止柵が設けられる。これらの仮設の手摺や落下防止柵の取り付けのためにこの実施の形態に係る治具１０が使用される。
【００２６】
次に、右側側面７５に取り付けられる仮設の手摺について説明する。図４は図２で説明した治具１０の上端部に仮設の手摺を鉛直方向で支持する棒状部材を固定した支持部材を有する、仮設の手摺を示す図である。図４（Ａ）は正面図（図４（Ｂ）において、矢印ＩＶＡ-ＩＶＡで示す部分の矢視図）であり、図４（Ｂ）は側面図（図４（Ａ）において、矢印ＩＶＢ-ＩＶＢで示す部分の矢視図）である。図４を参照して、ここでは、矩形状の開口部手摺５０が、その長手方向の両端部に一対の脚部５３,５４を有し、それぞれの下端部に治具１０が設けられている。
【００２７】
図４（Ａ）に示すように、手摺５０は伸縮が可能であり、短くした場合を図４（Ａ）に点線で、長くした場合を実線で示す。
【００２８】
図４（Ａ）を参照して、仮設用の手摺５０は鋼管で構成された全体として矩形状であり、上下に一対設けられた水平部材５１ａ，５１ｂと、水平部材５１ａ，５１ｂを、それぞれの一方側端部で縦方向に接続する第１縦方向接続部材５１ｃと、それぞれの他方側をそれぞれの他方側端部の近傍で縦方向に接続する第２縦方向接続部材５１ｄと、水平部材５１ａ，５１ｂの内部にそれぞれの端部を収容可能に設けられるとともに、水平部材５１ａ，５１ｂを縦方向に接続する、「コ」の字状を有する伸縮部材５２とを含む。
【００２９】
また、伸縮部材５２は、上下に設けられた一対の水平部材５２ａ，５２ｂと、一対の水平部材５２ａ，５２ｂを縦方向に接続する第３縦方向接続部材５２ｃとを含む。このように、伸縮部材５２の水平部材５２ａ，５２ｂの端部を水平部材５１ａ，５１ｂ内に収容可能にするために、水平部材５２ａ，５２ｂの外径は、水平部材５１ａ，５１ｂの内径より小さい。
【００３０】
また、水平部材５１ｂの第１縦方向接続部材５１ｃ側の端部と、水平部材５２ｂの第３縦方向接続部材５２ｃ側の端部には、下方向に延在する脚５３ａ，５３ｂが設けられ、これらの脚５３ａ，５３ｂの端部にその長さ方向に連続するように、治具１０が取り付けられている。
【００３１】
図４（Ａ）に示すように、ここでは、仮設用の手摺５０は、梁（点線で示す）の上下のフランジに治具１０の突起部が係合するように取り付けられている。すなわち、図２で説明した方法で仮設用の手摺５０は梁に取り付けられている。
【００３２】
次に、治具１０が図３において左側側面７６に設けられた仮設の落下防止柵に取り付けられる場合について説明する。図５はこのようにして取り付けられる落下防止柵６０の取り付け状態を示す図である。ここでは、落下防止柵６０は、上方に設けられた梁で形成された梁から吊り下げられている。したがって、ここでは、治具１０の円筒部材１１の下方端に落下防止柵６０の吊り下げ用の棒状部材が固定されている。
【００３３】
図５（Ａ）は手摺６０をその幅を広げた場合を示す図であり、図５（Ｂ）は手摺６０をその幅を狭くした場合を示す図であり、図５（Ｃ）は図５（Ａ）において、矢印ＶＣ-ＶＣで示す部分の矢視図である。
【００３４】
この実施の形態においても、図４に示した手摺５０とその構成は基本的に同じであるので、その説明を省略する。なお、固定方法についても同様である。
【００３５】
次に、図３（Ｃ）および（Ｄ）において、階段７３が設けられる開口部を閉じる場合に用いる角材６２を保持するために治具１０の上端部に角材保持部２１を取り付けた場合について説明する。なお、この角材６２は、所定の間隔をあけて複数設けられ、この角材６２の上に、平板状の作業用仮設床板６１が載置される。この作業用仮設床板６１としては、コンパネが好ましい。
【００３６】
図６は図１に示した治具１０の円筒部材１１の上端部に角材保持部２１を取り付けた状態を示す図である。図６（Ａ）は正面図（図６（Ｂ）において矢印ＶＩＡ−ＶＩＡで示す矢視図）であり、図６（Ｂ）は側面図（図６（Ａ）において矢印ＶＩＢ−ＶＩＢで示す矢視図）であり、図６（Ｃ）は平面図（図６（Ｂ）において矢印ＶＩＣ−ＶＩＣで示す矢視図）である。
【００３７】
図６に示すように、角材保持部（別部材保持部）２１は対向する一対の側面２２ａ，２２ｂと底面２２ｃとを有するＵ字状であり、Ｕ字状の溝の一方側端部には板部材２２ｄが設けられている。
【００３８】
このＵ字状の溝が対向するように階段７３の幅方向の間隔をあけて対になるように治具１０が梁に固定され、図３（Ｃ）に示すうように、一対のＵ字状の溝の間に角材が渡されて固定される。角材保持部２１は円筒部材１１の上端に直接接続されてもよいし、角材保持部２１を別部材として、その下端に棒状部材を取り付け、それを円筒部材１１の上端の開口に挿入して固定してもよい。
【００３９】
次に、この発明のさらに他の実施の形態について説明する。図７はこの発明のさらに他の実施の形態を示す図である。図７を参照して、この実施の形態に係る治具８０は先の実施の形態とは、ばね２０が設けられない点、上側保持部１２に設けられた突起部８１が下側を向いている点、下向きの突起部８１にはグラビティロックピン８２が設けられている点、および、上側保持部１２の固定用のねじボルトの頭部の形状が蝶ねじ８３になっている点が異なる。それ以外の構成については、先の実施の形態と同じである。
【００４０】
次に固定方法について説明する。先の実施の形態と同様にまず梁の下側のフランジの貫通孔に下側の突起部を係合させ、その後、上側のフランジの貫通孔にグラビティロックピン８２付きの突起部を係合させて梁に固定し、治具８０は蝶ねじ８３で棒状部材の所望の位置に固定する。
【００４１】
ここでグラビティィロックピン８２とは、突起部８１を構成する軸部の下端部に設けられたピンを中心として軸部から外周方向に、上側が広がるように飛び出すように常時ばねで付勢された部分を有するピン状の部材をいい、一旦突起部８１が貫通孔を通過した後は、その貫通孔からは上方向へ抜けられないようになっている。
【００４２】
上記以外は、先の実施の形態と同じであるので、その説明は省略する。
【００４３】
上記実施の形態においては、治具を梁に取り付ける場合について説明したが、これに限らず、任意の仮設用の形鋼に取り付け可能である。
【００４４】
また、上記実施の形態においては、円筒部材の上端または下端に別部材を取り付ける別部材取付部を設けた場合について説明したが、両端部に設けてもよい。
【００４５】
上記実施の形態においては、仮設用の部材として手摺等を例に挙げて説明したが、これらに限らず、任意の仮設用の部材に治具を取り付けてもよい。
【００４６】
上記実施の形態においては、仮設用の部材として、水平方向に延在する部材に治具を用いて取り付ける場合について説明したが、これに限らず、傾斜した任意の仮設用の部材に治具を用いて取り付けてもよい。
【００４７】
また、上記実施の形態の形態においては、下側保持部材を固定し、上側保持部材を可動として、その位置を固定するように構成したが、これに限らず、上側保持部材を固定し、下側保持部材を可動としてもよいし、両方を可動として、任意の位置に固定できるようにしてもよい。
【００４８】
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００４９】
この発明によると、建築作業において仮設時に使用される部材を容易に固定できるため、建設現場における仮設部材を取り付ける治具として有利に利用される。
【符号の説明】
【００５０】
１０  治具、１１  円筒部材、１２  上側保持部、１４、１９  突起部、１７  下側保持部、１７ａ，１７ｃ  板状部、１７ｂ  曲面、１８  ボルト、１８ａ  頭部、１８ｂ  軸部、１８ｃ  ナット、２０  コイルばね、２１  角材保持部、２２ａ，２２ｂ  側面、２３  棒状部材、４０  梁、４０ａ  上側フランジ、４０ｂ  下側フランジ、４１ａ，４１ｂ  貫通孔。
【図１】
0006406577.tif 000002
【図２】
0006406577.tif 000003
【図３】
0006406577.tif 000004
【図４】
0006406577.tif 000005
【図５】
0006406577.tif 000006
【図６】
0006406577.tif 000007
【図７】
0006406577.tif 000008